【手続補正書】
【提出日】令和3年11月29日(2021.11.29)
【手続補正１】
【補正対象書類名】特許請求の範囲
【補正対象項目名】全文
【補正方法】変更
【補正の内容】
【特許請求の範囲】
【請求項１】
ａ．少なくとも１つの受動電磁センサと、
ｂ．少なくとも１つの電磁制御通信機と、
ｃ．人工知能手段を有する少なくとも１つのスーパーコンピュータと
を含む無線センサシステム。
【請求項２】
前記受動電磁センサは、電気、ガス又は液体の配電ハードウェアの構成部品に取り付けられている又は埋め込まれている請求項１に記載の無線センサシステム。
【請求項３】
前記電気、ガス又は液体の配電ハードウェアの構成部品は、導体ワイヤ、ヒューズ、変圧器、スイッチ、リレー、回路遮断器、バスバー、コンデンサ、クランプ、塔及び柱、絶縁体、コネクタ、カップリング、サージアレスタ、スターラップ、タップ、規制バンク、サプレッサ、並びに街路灯カバーから選択される電力網配送構成部品を含む請求項２に記載の無線センサシステム。
【請求項４】
少なくとも１つのユーザ計算資源又は少なくとも１つのユーザコンピュータを更に含む請求項１に記載の無線センサシステム。
【請求項５】
前記受動電磁センサは、受動音波センサを更に含む請求項１に記載の無線センサシステム。
【請求項６】
前記受動電磁センサは、受動マイクロプロセッサを更に含む請求項１に記載の無線センサシステム。
【請求項７】
前記受動電磁センサは、可撓性である請求項１に記載の無線センサシステム。
【請求項８】
前記受動電磁センサは、ガラスポッドに封入されており、前記ガラスポッドは、内側が非導電性材料でコーティングされている請求項１に記載の無線センサシステム。
【請求項９】
前記受動マイクロプロセッサは、少なくとも１つの電磁力ハーベスタを含む請求項６に記載の無線センサシステム。
【請求項１０】
前記受動電磁センサは、電圧、電流、温度、圧力、湿度、振動、撓み、分子流量、降雨、大気汚染物質、化学剤、生物剤、核剤、化学濃縮物、化学成分又は粒子状物質から選択される現象を測定する請求項１に記載の無線センサシステム。
【請求項１１】
前記電磁制御通信機は、
ａ．電磁気無線周波数（ＲＦ）アンテナと、
ｂ．無線周波数（ＲＦ）送受信機と、
ｃ．無線周波数（ＲＦ）受信機と、
ｄ．ＣＰＵと、
ｅ．データ記憶装置と、
ｆ．セルラ通信装置と、
ｇ．アルゴリズム及びプログラミング論理手段と
を含む請求項１に記載の無線センサシステム。
【請求項１２】
前記ユーザ計算資源は、機器の欠陥、能力の低下及び他の異常状態の保全記録を入力し、センサ情報、アラーム、機械間命令、電力系統ウェルネスマップを受信し、及び、照会を処理する手段を含む請求項４に記載の無線センサシステム。
【請求項１３】
前記人工知能手段は、学習、デモンストレーション、説明、相関関係の作成、ユーザへのアドバイス等のインテリジェントな行動を示し；センサデータと、機器の欠陥、能力の低下、ローカル及びエリア間振動、及び他の異常状態との間の相関関係を作成し；及び、これらの新たに発見された相関関係を使用して、異常状態のアルゴリズムを作成し、これらのアルゴリズムをＥＣＣに送信する手段を含む請求項１に記載の無線センサシステム。
【請求項１４】
前記受動電磁センサは、複数の前記受動電磁センサからなるネットワークにおいて、一意の識別を更に含む請求項１に記載の無線センサシステム。
【請求項１５】
ａ．配電ハードウェアの構成部品として、少なくとも１つの受動電磁センサをインストールするステップと、
ｂ．前記受動電磁センサから物理的に分離された位置に、少なくとも１つの電磁制御通信機を設置するステップと、
ｃ．前記電磁制御通信機から無線周波数パルスを受信することによって、前記受動電磁センサを起動するステップと、
ｄ．これにより、前記受動電磁センサは、電磁インパルスをハーベストし、及び前記電磁インパルスを音波に変換し、
ｅ．測定される現象に基づいて、前記音波を修正して修正された波形を作成するステップと、
ｆ．前記修正された波形を、前記受動電磁センサから前記電磁制御通信機に送信するステップと、これにより、前記電磁制御通信機は、前記修正された波形を計算して現象測定値にして、現象測定情報、アラーム、命令及びマッピング情報データを生成し、
ｇ．前記電子制御通信機のセルラ通信手段によって前記データをスーパーコンピュータに通信するステップと、これにより、前記スーパーコンピュータは、前記データを包括的なプロセス制御及び予知モデルに組み立て、
ｈ．前記プロセス制御及び前記予知モデルを少なくとも１つのユーザコンピュータに送信するステップと
を備える、プロセス制御及び予知保全を可能にする方法。
【請求項１６】
前記受動中央処理装置は、前記電磁波の修正された特性を処理し、及び測定される現象の値を計算する請求項１５に記載の方法。
【請求項１７】
前記電磁波は、後方散乱通信を使用して、前記電磁制御通信機にブロードキャストされる請求項１５に記載の方法。
【請求項１８】
ａ．受動電磁センサポッドの長さにシリコーン接着剤を堆積させることと、
ｂ．前記配電ハードウェア構成部品の製造プロセス中に、前記受動電磁センサポッドを配電ハードウェア構成部品の表面に取り付けることと
を含む、受動電磁センサを装備した配電ハードウェア構成部品の製造方法。
【請求項１９】
前記受動マイクロプロセッサは、
ランダムアクセスメモリ又は強誘電体ランダムアクセスメモリを備えるデータ記憶手段と、
機械的振動、光、放射線、誘導、熱運動、燃料電池又は電磁波を含む群から選択される電源と、
プログラミング論理手段と、
アルゴリズムと
をさらに含む、請求項６に記載の無線センサシステム。
【請求項２０】
修正音波から現象値を計算する方法であって、
ａ．電磁制御通信機は電磁波を放出し、前記電磁波は、受動電磁センサに位置する入力インターディジタル変換器により捕捉されるステップと、
ｂ．前記入力インターディジタル変換器は、前記電磁波を、伝搬経路を進行する音波に変換するステップと、
ｃ．前記音波は、試験遅延ギャップを通過し、現象の存在に基づいて修正されるステップと、
ｄ．修正音波は、発信インターディジタル変換器を通過し、現象値を計算するために、前記電磁制御通信機に反射して送り返されるステップと
を含む、修正音波から現象値を計算する方法。
【請求項２１】
前記電磁制御通信機は、計算された前記現象値を、正常値及び異常値のセットと比較して、前記現象値が異常状態を表すかどうかを決定し、前記異常状態の発見に基づいてプログラムされた命令を実行する、請求項２０に記載の修正音波から現象値を計算する方法。
【請求項２２】
修正音波から現象値を計算する方法であって、
ａ．電磁制御通信機は電磁波を放出し、前記電磁波は、受動電磁センサに位置する入力インターディジタル変換器により捕捉されるステップと、
ｂ．前記入力インターディジタル変換器は、前記電磁波を、伝搬経路を進行する音波に変換するステップと、
ｃ．前記音波は、試験遅延ギャップを通過し、現象の存在に基づいて修正されるステップと、
ｄ．修正音波は、搭載されたマイクロプロセッサにより分析され、前記マイクロプロセッサは現象値を計算するステップと
を含む、修正音波から現象値を計算する方法。
【請求項２３】
前記マイクロプロセッサは、計算された前記現象値を、正常値及び異常値のセットと比較して、前記現象値が異常状態を表すかどうかを決定し、
前記マイクロプロセッサは、電力網監視システムに前記現象値を通信し、前記異常状態の発見に基づいてプログラムされた命令を実行する、請求項２２に記載の修正音波から現象値を計算する方法。
【請求項２４】
前記現象値は、前記電磁制御通信機に送信され、
前記電磁制御通信機は、電力網監視システムに前記現象値を通信し、前記現象値を、正常値及び異常値のセットと比較して、前記現象値が異常状態を表すかどうかを決定し、前記異常状態の発見に基づいてプログラムされた命令を実行する、請求項２３に記載の修正音波から現象値を計算する方法。
【請求項２５】
修正音波を利用してプロセス制御及び予知保全を可能にする方法であって、
ａ．受動電磁センサにより第１の電磁波をハーベストするステップと、
ｂ．前記電磁波を音波に変換するステップと、
ｃ．前記音波を測定される現象に基づいて修正するステップと、
ｄ．修正音波を前記受動電磁センサのマイクロプロセッサ又は電磁制御通信機に送信するステップと、
ｅ．前記マイクロプロセッサ又は前記電磁制御通信機は、前記測定される現象の値を計算するステップと、
ｆ．前記値をネットワークに送信し、前記ネットワークは、前記値を処理し、前記値が異常かどうかを前記値と既知のリレーモジュールとの比較により決定するステップと、
ｇ．前記ネットワークのプログラミング論理は、前記値と前記既知のリレーモジュールとの前記比較に基づいてプロセス制御及び予知保全コマンドを可能にするステップと
を含む、修正音波を利用してプロセス制御及び予知保全を可能にする方法。